(57)【要約】【課題】組立性、機能性に優れた空調室内機を提供する。【解決手段】室内機３のフィルタ機構３３は、フィルタユニット５０を有する。フィルタユニット５０は、フィルタガイド６０と、フィルタガイド６０に保持される環状のエアフィルタ７０と、エアフィルタ７０の垂下がりを抑える後フィルタガード８０ｂと、を有する。エアフィルタ７０は、上側フィルタ７０ａと下側フィルタ７０ｂとを含む。フィルタガイド６０は、左右に延びる第１ローラ６２および第２ローラ６３と、両者を連結する連結部材６１とを有する。連結部材６１は、側面視上に凸に湾曲している。後フィルタガード８０ｂは、後側ロッド８１ｂと、フィルタガイド６０に固定され後側ロッド８１ｂを保持する後側引掛部８２ｂと、を有する。後側ロッド８１ｂは、第１ローラ６２より第２ローラ６３の近くで左右に延び、下側フィルタ７０ｂを下方から支える。【選択図】図７
2014070825.tif 000002
【特許請求の範囲】
【請求項１】
フィルタユニット（５０）を有するフィルタ清掃装置（３３）を備え、
前記フィルタユニットは、環状のループフィルタ（７０）と、前記ループフィルタを保持するフィルタガイド（６０）と、前記ループフィルタの垂れ下がりを抑える第１フィルタ垂下抑制部材（８０ｂ）と、を有し、
前記ループフィルタは、前記フィルタガイドを挟んで上下に位置する上側フィルタ（７０ａ）と下側フィルタ（７０ｂ）とを含み、
前記フィルタガイドは、左右に延びる前端部（６２）と、左右に延びる後端部（６３）と、前記前端部と前記後端部とを連結し側面視において上に凸に湾曲している前後連結部（６１）と、を有し、
前記第１フィルタ垂下抑制部材は、左右に延びており前記下側フィルタを下方から支える第１棒状部（８１ｂ）と、前記フィルタガイドに固定され前記第１棒状部を保持する第１固定部（８２ｂ）と、を有し、前記第１棒状部が前記フィルタガイドの前記前端部よりも前記後端部に近い位置に配置される、
空調室内機（３）。
【請求項２】
前記フィルタユニットは、前記ループフィルタの垂れ下がりを抑える第２フィルタ垂下抑制部材（８０ａ）をさらに有し、
前記第２フィルタ垂下抑制部材は、左右に延びており前記下側フィルタを下方から支える第２棒状部（８１ａ）と、前記フィルタガイドに固定され前記第２棒状部を保持する第２固定部（８２ａ）と、を有し、前記第２棒状部が前記フィルタガイドの前記後端部よりも前記前端部に近い位置に配置される、
請求項１に記載の空調室内機。
【請求項３】
前記フィルタ清掃装置は、前記フィルタユニットを支持する支持フレーム（５２）をさらに有し、
前記支持フレームは、前記フィルタユニットを挿入するフィルタユニット挿入経路（５２８）を有し、
前記フィルタユニット挿入経路は、前記フィルタガイドの形状に沿って湾曲しており、
前記第１フィルタ垂下抑制部材は、前記フィルタユニットが使用位置まで前記フィルタユニット挿入経路に挿入された状態において、前記フィルタユニット挿入経路が最も湾曲している箇所である最大湾曲部から外れる、
請求項１又は２に記載の空調室内機。
【請求項４】
前記第２フィルタ垂下抑制部材は、前記前後連結部の前半分における最大湾曲部分（６５）の近傍に配設される、
請求項２に記載の空調室内機。
【請求項５】
前記支持フレームには、前記フィルタユニットが使用位置まで挿入されたときに前記第１固定部が位置する凹み部（５２ｂ）が形成される、
請求項３に記載の空調室内機。
【発明の詳細な説明】
【技術分野】
【０００１】
本発明は、空調室内機に関する。
【背景技術】
【０００２】
従来、フィルタに付着した塵埃を除去できるフィルタ清掃装置を備えた空調室内機が知られている。例えば、特許文献１（特開２０１２−５２７６５号公報）に開示された空調室内機は、フィルタガイドに装着されたフィルタを動作させて回転ローラに接触させることにより、フィルタに付着した塵埃を除去するフィルタ清掃装置を備えている。
【発明の概要】
【発明が解決しようとする課題】
【０００３】
しかし、従来の空調室内機においては、フィルタガイドを上に凸に湾曲する形状とした場合、フィルタの垂れ下がりが生じて組立性や機能性が悪化することが考えられる。
【０００４】
そこで本発明の課題は、組立性および機能性に優れた空調室内機を提供することである。
【課題を解決するための手段】
【０００５】
本発明の第１観点に係る空調室内機は、フィルタユニットを有するフィルタ清掃装置を備える。フィルタユニットは、環状のループフィルタと、ループフィルタを保持するフィルタガイドと、ループフィルタの垂れ下がりを抑える第１フィルタ垂下抑制部材と、を有する。ループフィルタは、フィルタガイドを挟んで上下に位置する上側フィルタと下側フィルタとを含む。フィルタガイドは、左右に延びる前端部と、左右に延びる後端部と、前端部と後端部とを連結する前後連結部と、を有する。前後連結部は、側面視において上に凸に湾曲している。第１フィルタ垂下抑制部材は、第１棒状部と、第１固定部と、を有する。第１棒状部は、左右に延びており、下側フィルタを下方から支える。第１固定部は、フィルタガイドに固定され、第１棒状部を保持する。第１棒状部がフィルタガイドの前端部よりも後端部に近い位置に配置される。
【０００６】
本発明の第１観点に係る空調室内機では、第１フィルタ垂下抑制部材の第１固定部は、フィルタガイドに固定され、第１棒状部を保持する。また、第１棒状部は、左右に延びており、フィルタガイドの前端部よりも後端部に近い位置に配置され、下側フィルタを下方から支える。これにより、ループフィルタの垂れ下がりが抑制される。したがって、組立性および機能性が向上する。
【０００７】
本発明の第２観点に係る空調室内機は、第１観点に係る空調室内機であって、フィルタユニットは、ループフィルタの垂れ下がりを抑える第２フィルタ垂下抑制部材をさらに有する。第２フィルタ垂下抑制部材は、第２棒状部と、第２固定部と、を有する。第２棒状部は、左右に延びており、下側フィルタを下方から支える。第２固定部は、フィルタガイドに固定され、第２棒状部を保持する。第２棒状部は、フィルタガイドの後端部よりも前端部に近い位置に配置される。
【０００８】
本発明の第２観点に係る空調室内機では、第２フィルタ垂下抑制部材の第２固定部は、フィルタガイドに固定され、第２棒状部を保持する。また、第２棒状部は、左右に延びており、フィルタガイドの後端部よりも前端部に近い位置に配置され、下側フィルタを下方から支える。これにより、ループフィルタの垂れ下がりがさらに抑制される。
【０００９】
本発明の第３観点に係る空調室内機は、第１観点又は第２観点に係る空調室内機であって、フィルタ清掃装置は、フィルタユニットを支持する支持フレームをさらに有する。支持フレームは、フィルタユニットを挿入するフィルタユニット挿入経路を有する。フィルタユニット挿入経路は、フィルタガイドの形状に沿って湾曲している。第１フィルタ垂下抑制部材は、フィルタユニットが使用位置までフィルタユニット挿入経路に挿入された状態において、フィルタユニット挿入経路が最も湾曲している箇所である最大湾曲部から外れる。
【００１０】
本発明の第３観点に係る空調室内機では、第１フィルタ垂下抑制部材は、フィルタユニットが使用位置までフィルタユニット挿入経路に挿入された状態においてフィルタユニット挿入経路の最大湾曲部から外れる。これにより、フィルタユニットを支持フレームへ円滑に挿入しやすい。したがって、組立性が向上する。
【００１１】
本発明の第４観点に係る空調室内機は、第２観点に係る空調室内機であって、第２フィルタ垂下抑制部材は、前後連結部の前半分における最大湾曲部分の近傍に配設される。
【００１２】
本発明の第４観点に係る空調室内機では、第２フィルタ垂下抑制部材は、前後連結部の前半分における最大湾曲部分の近傍に配設される。これにより、下側フィルタは、垂れ下がりやすい箇所において第２フィルタ垂下抑制部材により支えられる。これにより、ループフィルタの垂れ下がりがさらに効率的に抑制される。
【００１３】
本発明の第５観点に係る空調室内機は、第３観点に係る空調室内機であって、支持フレームには、凹み部が形成される。フィルタユニットが使用位置まで挿入されたときに、第１固定部は、凹み部に位置する。
【００１４】
本発明の第５観点に係る空調室内機では、支持フレームには、フィルタユニットが使用位置まで挿入されたときに第１固定部が位置する凹み部が形成される。これにより、フィルタユニットを支持フレームへ挿入する際に、フィルタユニットの位置決めがしやすい。したがって、組立性が向上する。
【発明の効果】
【００１５】
本発明の第１および第２観点に係る空調室内機では、ループフィルタの垂れ下がりが抑制されるため、組立性および機能性が向上する。
【００１６】
本発明の第３観点に係る空調室内機では、フィルタユニットが支持フレームへ円滑に挿入しやすくなり、組立性が向上する。
【００１７】
本発明の第４観点に係る空調室内機では、ループフィルタの垂れ下がりがさらに抑制される。
【００１８】
本発明の第５観点に係る空調室内機では、フィルタユニットを支持フレームへ挿入する際に、フィルタユニットの位置決めがしやすくなり、組立性が向上する。
【図面の簡単な説明】
【００１９】
【図１】本発明の一実施形態に係る空調室内機を使用した空気調和装置の正面図。
【図２】本発明の一実施形態に係る空調室内機の正面斜視図。
【図３】図２のIII-III線断面図。
【図４】フィルタ機構および室内熱交換器の正面斜視図。
【図５】フィルタユニットの正面斜視図。
【図６】フィルタユニットの右側面図。
【図７】フィルタガイドの正面斜視図。
【図８Ａ】フィルタガードの上面図。
【図８Ｂ】フィルタガードの正面図。
【図８Ｃ】図８ＢのＡ部分の右側面図。
【図８Ｄ】図８ＢのＡ部分の拡大図。
【図９】支持フレームの斜視図。
【図１０】図９のＢ部分の拡大斜視図。
【図１１】フィルタユニットを装着した状態における図９のＢ部分の拡大斜視図。
【発明を実施するための形態】
【００２０】
以下、図面を参照しながら、本発明の実施形態について説明する。なお、以下の実施形態は、本発明の具体例であって、本発明の技術的範囲を限定するものではない。また、以下の説明において、上、下、左、右、正面（前）、背面（後）といった方向を示す語句を用いているが、これらの方向は、特にことわりのない限り、図１、図３、図８Ａおよび図８Ｂに示す方向を意味する。
【００２１】
（１）空気調和装置１
図１は、空気調和装置１の正面図である。空気調和装置１は、室内空間の熱負荷を処理して空気調和を実現する装置である。空気調和装置１は、室外機２と、室内機３と、冷媒配管４とから構成され、冷房運転や暖房運転等を行うことができる。
【００２２】
（１−１）室外機２
室外機２は、室外に設置されており、その外郭はケーシング２０によって構成されている。ケーシング２０の内部には、主として室外熱交換器、室外ファンおよび圧縮機等が収容されている（図示省略）。室外機２は、室内機３と冷媒配管４を介して接続されて冷媒回路を構成している。
【００２３】
（１−２）室内機３
次に図１から図３を参照して、室内機３について説明する。図２は、室内機３の正面斜視図である。図３は、図２のIII-III線断面図である。
【００２４】
室内機３は、壁掛けタイプで、室内機保持具（図示省略）を介して室内の天井近傍の壁に設置されている。室内機３の外郭はケーシング３０によって構成されている。
【００２５】
（１−２−１）ケーシング３０
ケーシング３０は、左右に長い横長の形状をしており、主として、樹脂製の板状部材である背面板３０１、底板３０２、左側板３０３、右側板３０４、天板３０５および正面板３０６により、それぞれ構成されている。なお、背面板３０１以外は、室内機３を設置した状態で取り外しが可能である。
【００２６】
背面板３０１は、ケーシング３０の背面部分を構成しており、室内機保持具に固定されている。底板３０２は、ケーシング３０の底面部分を構成しており、下吸込口３０２ａが形成されている。下吸込口３０２ａは、フラップ３０２ｂで塞がれている。フラップ３０２ｂは、フラップモータ（図示省略）の駆動によって回動し、下吸込口３０２ａの開閉を行っている。
【００２７】
左側板３０３および右側板３０４は側面視において略扇形状の形状を有しており、左側板３０３はケーシング３０の左側面を、右側板３０４は右側面をそれぞれ構成している。天板３０５は、ケーシング３０の天面部分を構成しており、上吸込口３０５ａが形成されている。
【００２８】
正面板３０６は正面側に膨らむように湾曲している。正面板３０６の下端近傍に吹出口３０６ａが形成されており、吹出口３０６ａはフラップ３０６ｂで塞がれている。フラップ３０６ｂは、フラップモータ（図示省略）の駆動によって回動し、吹出口３０６ａの開閉を行っている。
【００２９】
ケーシング３０の内部には、主として、室内熱交換器３１、室内ファン３２、フィルタ機構３３および制御部（図示せず）等が収容されている。
【００３０】
（１−２−２）室内熱交換器３１
室内熱交換器３１は、クロスフィン型熱交換器である。室内熱交換器３１は、室内の空気と熱交換し、冷房運転時には冷媒の蒸発器として機能し、暖房運転時には冷媒の放熱器として機能する。これにより内部を流れる冷媒を蒸発又は凝縮させて、室内の空気を冷却又は加熱する。
【００３１】
室内熱交換器３１は、側面視において前方および上方に突出するように屈曲した形状を有し、室内ファン３２の上方に配置されている。
【００３２】
（１−２−３）室内ファン３２
室内ファン３２はクロスフローファンである。室内ファン３２は、室内熱交換器３１の下方に設けられており、その略上半分が、室内熱交換器３１に囲われている。室内ファン３２は、ファンモータ（図示省略）と接続されており、ファンモータが駆動することにより回転する。室内ファン３２の回転により、室内の空気が、室内機３の上吸込口３０５ａおよび下吸込口３０２ａからケーシング３０内部へと吸い込まれ、室内熱交換器３１を通過して吹出口３０６ａから吹き出される。
【００３３】
（１−２−４）フィルタ機構３３
ここから、フィルタ機構３３について説明する。図４は、フィルタ機構３３および室内熱交換器３１の正面斜視図である。
【００３４】
フィルタ機構３３は、室内熱交換器３１の空気流上流側において室内熱交換器３１を覆うように配設されており、ケーシング３０内に取り込んだ室内空気に含まれる塵埃を除去して、室内熱交換器３１に塵埃が付着することを防いでいる。フィルタ機構３３は、主として、フィルタユニット５０と、清掃ユニット５１と、支持フレーム５２と、から構成されている。
【００３５】
（１−２−４−１）フィルタユニット５０
以下、図３から図７を参照してフィルタユニット５０について説明する。図５は、フィルタユニット５０の正面斜視図である。図６は、フィルタユニット５０の右側面図である。図７は、フィルタガイド６０の正面斜視図である。
【００３６】
フィルタユニット５０は、ケーシング３０内部の左右に１つずつ配設されており、左側には左フィルタユニット５０ａが、右側には右フィルタユニット５０ｂが配設されている。左フィルタユニット５０ａおよび右フィルタユニット５０ｂは、支持フレーム５２に脱着可能に装着されている。フィルタユニット５０は、主として、フィルタガイド６０と、エアフィルタ７０と、フィルタガード８０とから構成されている。
【００３７】
（１−２−４−１−１）フィルタガイド６０
フィルタガイド６０は、室内熱交換器３１の空気流上流側に配置されることから熱交換抵抗となりうる。したがって、フィルタガイド６０は、室内熱交換器３１を覆う面積が少なくなるように複数の細長い部材を組み合せることにより構成されている。
【００３８】
具体的にフィルタガイド６０は、主として、左連結部材６１ａおよび右連結部材６１ｂ（以下、左連結部材６１ａおよび右連結部材６１ｂを併せて連結部材６１と呼ぶ）と、左右に延びる第１ローラ６２および第２ローラ６３と、保持部材６４と、から構成されている。
【００３９】
左連結部材６１ａは、側面視略台形状の形状を有し、左前湾曲部６５ａおよび左後湾曲部６６ａが設けられている。同様に、右連結部材６１ｂは、側面視略台形状の形状を有し、右前湾曲部６５ｂおよび右後湾曲部６６ｂが設けられている（以下、左前湾曲部６５ａおよび右前湾曲部６５ｂを併せて前湾曲部６５、左後湾曲部６６ａおよび右後湾曲部６６ｂを併せて後湾曲部６６と呼ぶ）。
【００４０】
左前湾曲部６５ａには左側第１挿入孔ＩＳ１ａが形成され、右前湾曲部６５ｂには右側第１挿入孔ＩＳ１ｂが形成されている（以下、左側第１挿入孔ＩＳ１ａおよび右側第１挿入孔ＩＳ１ｂを併せて第１挿入孔ＩＳ１と呼ぶ）。また、左後湾曲部６６ａには左側第２挿入孔ＩＳ２ａが形成され、右後湾曲部６６ｂには右側第２挿入孔ＩＳ２ｂが形成されている（以下、左側第２挿入孔ＩＳ２ａおよび右側第２挿入孔ＩＳ２ｂを併せて第２挿入孔ＩＳ２と呼び、第１挿入孔ＩＳ１および第２挿入孔ＩＳ２を併せて挿入孔ＩＳと呼ぶ）。第１挿入孔ＩＳ１には、後述する前フィルタガード８０ａ（図８Ａ〜Ｄ参照）の前側引掛部８２ａが差し込まれ、また、第２挿入孔ＩＳ２には、後述する後フィルタガード８０ｂ（図８Ａ〜Ｄ参照）の後側引掛部８２ｂが差し込まれる。
【００４１】
連結部材６１の前端には、第１ローラ６２が回転自在に配設されており、また、連結部材６１の後端には、第２ローラ６３が回転自在に配設されている。具体的には、左連結部材６１ａの前端に第１ローラ６２の左端近傍部分が固定され、後端に第２ローラ６３の左端近傍部分が固定されている。また、右連結部材６１ｂの前端に第１ローラ６２の右端近傍部分が固定され、後端に第２ローラ６３の右端近傍部分が固定されている。すわなち、第１ローラ６２の左端近傍部分と第２ローラ６３の左端近傍部分とは、左連結部材６１ａによって連結されており、第１ローラ６２の右端近傍部分と第２ローラ６３の右端近傍部分とは、右連結部材６１ｂによって連結されている。
【００４２】
また、左連結部材６１ａと右連結部材６１ｂとの間には、格子状の保持部材６４が配設されている。すなわち、左連結部材６１ａと右連結部材６１ｂとは、保持部材６４で連結されている。
【００４３】
このように構成されたフィルタガイド６０を囲うようにエアフィルタ７０が、フィルタガイド６０に装着されている。
【００４４】
（１−２−４−１−２）エアフィルタ７０
エアフィルタ７０は、樹脂製の糸等で平織りまたは綾織された網であって、環形状に成形されている。エアフィルタ７０は、フィルタガイド６０に掛け渡されており、無端ベルト状に保たれている。具体的に、エアフィルタ７０の前側折返し部分が第１ローラ６２によって保持され、後側折返し部分が第２ローラ６３によって保持され、前側折返し部分から後側折返し部分に至るまでの部分が保持部材６４によって保持されている。このような態様で保持されていることにより、エアフィルタ７０は、フィルタガイド６０を周回できるようになっている。
【００４５】
なお、説明の便宜上、エアフィルタ７０の保持部材６４より上側にある部分を上側フィルタ７０ａ、保持部材６４より下側にある部分を下側フィルタ７０ｂと呼ぶ。上側フィルタ７０ａは、保持部材６４によって保持されている。また、下側フィルタ７０ｂは、フィルタガイド６０に装着された前フィルタガード８０ａおよび後フィルタガード８０ｂ（以下、前フィルタガード８０ａと後フィルタガード８０ｂとを併せてフィルタガード８０と呼ぶ。）によって保持されている。
【００４６】
（１−２−４−１−３）フィルタガード８０
以下、図３から図８Ｄを参照してフィルタガード８０について説明する。図８Ａは、フィルタガード８０の上面図である。図８Ｂは、フィルタガード８０の正面図である。図８Ｃは、図８ＢのＡ部分の右側面図である。図８Ｄは、図８ＢのＡ部分の拡大図である。
【００４７】
フィルタガード８０は、前フィルタガード８０ａと後フィルタガード８０ｂとから構成されている。前フィルタガード８０ａは前湾曲部６５に配設されており、後フィルタガード８０ｂは前湾曲部６５と後湾曲部６６の間の後湾曲部６６近傍に配設されている。前フィルタガード８０ａは、断面が略円形状の左右に延びる棒状部材である前側ロッド８１ａと、前側ロッド８１ａの両端に設けられた前側引掛部８２ａとから構成されている。同様に、後フィルタガード８０ｂは、断面が略円形状の左右に延びる棒状部材である後側ロッド８１ｂ（以下、前側ロッド８１ａおよび後側ロッド８１ｂを併せてロッド８１と呼ぶ）と、後側ロッド８１ｂの両端に設けられた後側引掛部８２ｂとから構成されている（以下、前側引掛部８２ａおよび後側引掛部８２ｂを併せて引掛部８２と呼ぶ）。なお、本実施形態において、ロッド８１と引掛部８２とは一体に成形されているが、説明の便宜上、区別して説明する。
【００４８】
ロッド８１は、下側フィルタ７０ｂよりも下方に位置し、下側フィルタ７０ｂを、前湾曲部６５と、後湾曲部６６の前端近傍位置と、の２点で保持している。このような態様で下側フィルタ７０ｂが保持されていることにより、下側フィルタ７０ｂは垂れ下がらずに保持部材６４との距離を適度に保っている。よって、エアフィルタ７０が円滑に周回できるようになっており、また、フィルタユニット５０を後述の支持フレーム５２（図９参照）に円滑に装着できるようになっている。ロッド８１は、引掛部８２によって略水平に保たれている。
【００４９】
引掛部８２は、連結部材６１に固定されている。具体的には、前側引掛部８２ａは第１挿入孔ＩＳ１に差し込まれて、後側引掛部８２ｂは第２挿入孔ＩＳ２に差し込まれてそれぞれ固定されている。
【００５０】
前側引掛部８２ａは、側面視において略台形状のベース部８２０ａと、ベース部８２０ａの上部から上方と延びる縦長の上延部８２１ａとから構成されている。同様に、後側引掛部８２ｂは、側面視において略台形状のベース部８２０ｂ（以下、ベース部８２０ａおよびベース部８２０ｂを併せてベース部８２０と呼ぶ）と、ベース部８２０ｂの上部から上方へと延びる縦長の上延部８２１ｂ（以下、上延部８２１ａおよび上延部８２１ｂを併せて上延部８２１と呼ぶ）とから構成されている。
【００５１】
図８Ｃに示すように、ベース部８２０は、その下端中央付近においてロッド８１と繋がっている。また、図８Ｄに示すように、上延部８２１ａの上端には第１挿入孔ＩＳ１に差し込まれる差込部８２２ａが設けられており、差込部８２２ａの下端には第１挿入孔ＩＳ１の縁に引っ掛かって係止する段差部８２３ａが形成されている。同様に、上延部８２１ｂの上端には、第２挿入孔ＩＳ２に差し込まれる差込部８２２ｂ（以下、差込部８２２ａおよび差込部８２２ｂを併せて差込部８２２と呼ぶ）が設けられており、差込部８２２ｂの下端には、第２挿入孔ＩＳ２の縁に引っ掛かって係止する段差部８２３ｂ（以下、段差部８２３ａおよび段差部８２３ｂを併せて段差部８２３と呼ぶ）が形成されている。
【００５２】
差込部８２２は、上延部８２１の上端から段差部８２３にかけてなだらかに傾斜している。段差部８２３は、差込部８２２の下端から鉛直方向に対して略直角に屈折して段差を形成している。差込部８２２および段差部８２３がこのような形状に成形されていることから、挿入孔ＩＳに差込部８２２を下方から円滑に差し込むことが可能であり、一定状態差し込んだところで段差部８２３に引っ掛かって係止されるようになっており、引掛部８２を連結部材６１に容易かつ堅固に固定しやすいようになっている。
【００５３】
（１−２−４−２）清掃ユニット５１
以下、図３から図６および図９を参照して清掃ユニット５１について説明する。図９は、支持フレーム５２の斜視図である。
【００５４】
清掃ユニット５１は、エアフィルタ７０の前側折返し部分近傍において支持フレーム５２に固定されている。清掃ユニット５１は、エアフィルタ７０に付着した塵埃を除去するもので、主として、フィルタ駆動部５１１、ブラシ５１２、ブラシ駆動部５１３、ブラシ清掃部５１４、塵埃受け部５１５等を有している。
【００５５】
フィルタ駆動部５１１は、ローラ用モータ等で構成され、第１ローラ６２の回転軸に接続されている。ローラ用モータが駆動すると第１ローラ６２が回転し、エアフィルタ７０が周回する。
【００５６】
ブラシ５１２は、室内機３の長手方向に沿って細長い形状を有しており、長手方向に直行する断面が略円形の形状を有している。ブラシ５１２は、第１ローラ６２の下方近傍に回転自在にとりつけられており、ブラシ５１２の一部はエアフィルタ７０に接触している。
【００５７】
ブラシ駆動部５１３は、ステッピングモータ等で構成され、ブラシ５１２の回転軸部分と接続されており、ステッピングモータが駆動することでブラシ５１２が回転するようになっている。
【００５８】
ブラシ清掃部５１４は、ブラシ５１２の下方に配置され、ブラシ５１２に向かって突出しており、その上端部分がブラシ５１２と接触している。ブラシ清掃部５１４がこのように設けられていることで、ブラシ５１２の回転に伴ってブラシ５１２に付着した塵埃が掻き落とされるようになっている。
【００５９】
塵埃受け部５１５は、ブラシ５１２及びブラシ清掃部５１４の下方において配置されている。塵埃受け部５１５内には、ブラシ清掃部５１４によってブラシ５１２から掻き落とされた塵埃が貯められる。
【００６０】
（１−２−４−３）支持フレーム５２
以下、図３から図１１を参照して支持フレーム５２について説明する。図１０は、図９のＢ部分の拡大斜視図である。図１１は、フィルタユニット５０を装着した状態における図９のＢ部分の拡大斜視図である。
【００６１】
支持フレーム５２は、フィルタユニット５０および清掃ユニット５１を支持している。支持フレーム５２は、主として、ケーシング３０の天板３０５に沿って前後に延びる左端部材５２１、中央部材５２２および右端部材５２３と、ケーシング３０の幅方向に沿って左右に延びる前端部材５２４と後端部材５２５で構成されている。
【００６２】
左端部材５２１は支持フレームの左端部分を構成し、右端部材５２３は支持フレームの右端部分を構成している。中央部材５２２は、支持フレーム５２の中央部分に配設され、支持フレーム５２を左右に仕切っている。左端部材５２１、中央部材５２２および右端部材５２３の前端は、前端部材５２４と連結されており、後端は後端部材５２５と連結されている。左端部材５２１、中央部材５２２および右端部材５２３は、フィルタユニット５０の形状に沿うように前端および後端が垂れ下がっている。
【００６３】
左端部材５２１と中央部材５２２との間には、左前支持部材５２６ａおよび左後支持部材５２６ｂが配設されており、左フィルタ設置スペース５２６が形成されている。また、中央部材５２２と右端部材５２３との間には、右前支持部材５２７ａおよび右後支持部材５２７ｂが配設されており、右フィルタ設置スペース５２７が形成されている。左フィルタ設置スペース５２６において左フィルタユニット５０ａが、右フィルタ設置スペース５２７において右フィルタユニット５０ｂが、それぞれ設置されている。
【００６４】
左端部材５２１の内面および中央部材５２２の左側面には、左フィルタユニット５０ａを差し込む左フィルタ差込部５２８ａが形成されており、右端部材５２３の内面および中央部材５２２の右側面には、右フィルタユニット５０ｂを差し込む右フィルタ差込部５２８ｂ（以下、左フィルタ差込部５２８ａおよび右フィルタ差込部５２８ｂを併せてフィルタ差込部５２８と呼ぶ）が形成されている。フィルタ差込部５２８は、連結部材６１の形状に沿うように側面視において略台形状に湾曲しており、その前端部分は開放している。この前端の開放部分を介して、フィルタユニット５０が支持フレーム５２に挿入される。
【００６５】
また、左フィルタ差込部５２８ａの前側湾曲部分には第１左係合部５２ａ１が設けられ、前側湾曲部分と後側湾曲部分との間の後側湾曲部分近傍部分には第２左係合部５２ｂ１が設けられている。また同様に、右フィルタ差込部５２８ｂの前側湾曲部分には第１右係合部５２ａ２（以下、第１左係合部５２ａ１および第１右係合部５２ａ２を併せて第１係合部５２ａと呼ぶ）が設けられ、前側湾曲部分と後側湾曲部分との間の後側湾曲部分近傍部分には第２右係合部５２ｂ２（以下、第２左係合部５２ｂ１および第２右係合部５２ｂ２を併せて第２係合部５２ｂと呼ぶ）が設けられている。
【００６６】
第１係合部５２ａはベース部８２０ａが嵌合する形状の窪みであり、第２係合部５２ｂはベース部８２０ｂが嵌合する形状の窪みである。このような第１係合部５２ａおよび第２係合部５２ｂが設けられていることにより、フィルタユニット５０を支持フレーム５２に装着した状態においては、前側引掛部８２ａが第１係合部５２ａに嵌合し、後側引掛部８２ｂが第２係合部５２ｂに嵌合するようになっている。
【００６７】
具体的にフィルタユニット５０を支持フレーム５２に装着する場合には、エアフィルタ７０の前側折返し部分近傍に設けられた把手６７ａおよび６７ｂを掴み、エアフィルタ７０の後側折返し部分をフィルタ差込部５２８の前端の開放部分に差込んで押し込むと、後側引掛部８２ｂが第１係合部５２ａに嵌まり込むが、そのまま徐々に押し込んでいくと後側引掛部８２ｂが第１係合部５２ａを乗り超える。そしてフィルタユニット５０がフィルタ差込部５２８に嵌りこんだ状態でさらに押し上げながら背面側へ押し込んでいくと、やがて後側引掛部８２ｂが第２係合部５２ｂに嵌合するとともに前側引掛部８２ａが第１係合部５２ａに嵌合し、図１１に示すように、フィルタユニット５０が支持フレーム５２の所定位置で支持されるようになっている。
【００６８】
（２）特徴
（２−１）
上記実施形態では、後フィルタガード８０ｂの後側引掛部８２ｂは、フィルタガイド６０に固定され、後側ロッド８１ｂを保持している。また、後側ロッド８１ｂは、左右に延びており、第１ローラ６２よりも第２ローラ６３に近い位置に配置され、下側フィルタ７０ｂを下方から支えている。これにより、エアフィルタ７０の垂れ下がりを抑制できている。このため、エアフィルタ７０が円滑に周回できるようになっており、機能性を向上できている。また、フィルタユニット５０を支持フレーム５２に装着する際、下側フィルタ７０ｂが左前支持部材５２６ａ、左後支持部材５２６ｂ、右前支持部材５２７ａおよび右後支持部材５２７ｂに引っ掛かることが抑制され、円滑に装着しやすくできている。したがって、組立性を向上できている。
【００６９】
（２−２）
上記実施形態では、前フィルタガード８０ａの前側引掛部８２ａは、フィルタガイド６０に固定され、前側ロッド８１ａを保持している。また、前側ロッド８１ａは、左右に延びており、第２ローラ６３よりも第１ローラ６２に近い位置に配置され、下側フィルタ７０ｂを下方から支えている。これにより、エアフィルタ７０の垂れ下がりを抑制できている。
【００７０】
（２−３）
上記実施形態では、後フィルタガード８０ｂは、フィルタユニット５０が使用位置までフィルタ差込部５２８に挿入された状態においてフィルタ差込部５２８の後側湾曲部分から外れている。これにより、フィルタユニット５０をフィルタ差込部５２８へ挿入する際またはフィルタ差込部５２８から抜去する際に、後フィルタガード８０ｂが視認しにくいフィルタ差込部５２８の後側湾曲部分に引っ掛かることがない。よって、フィルタユニット５０を支持フレーム５２へ円滑に装着しやすくできている。
【００７１】
（２−４）
上記実施形態では、前フィルタガード８０ａは、連結部材６１の前湾曲部６５の近傍に配設されている。これにより、下側フィルタ７０ｂが垂れ下がりやすい箇所において、前フィルタガード８０ａが下側フィルタ７０ｂを支えている。これにより、エアフィルタ７０の垂れ下がりを効率的に抑制できている。
【００７２】
（２−５）
上記実施形態では、支持フレーム５２には、フィルタユニット５０が使用位置まで挿入されたときに後側引掛部８２が位置する第２係合部５２ｂが形成されている。これにより、フィルタユニット５０を支持フレーム５２へ装着する際、フィルタユニット５０の位置決めをしやすくできている。したがって、組立性を向上できている。
【００７３】
（３）変形例
（３−１）変形例１Ａ
上記実施形態では、フィルタユニット５０は、前フィルタガード８０ａおよび後フィルタガード８０ｂを有していたが、前フィルタガード８０ａについては適宜省略してもよい。その場合、後フィルタガード８０ｂは、前湾曲部６５と後湾曲部６６の間の中心付近に配設されることが好ましい。
【００７４】
（３−２）変形例１Ｂ
上記実施形態では、フィルタガード８０は、引掛部８２を有し、引掛部８２が連結部材６１に係止することによりフィルタガイド６０に固定されていたが、フィルタガード８０の固定態様についてはこれに限定されない。例えば、差込部８２２および段差部８２３を省略して、上延部８２１を連結部材６１に螺着して固定してもよい。また、上延部８２１を省略して、ベース部８２０を連結部材６１と一体に成形してもよい。
【００７５】
（３−３）変形例１Ｃ
上記実施形態では、前フィルタガード８０ａは前湾曲部６５に固定され、後フィルタガード８０ｂは後湾曲部６６に固定されたが、固定位置についてはこれに限定されない。例えば、前フィルタガード８０ａを前湾曲部６５から外れた位置に固定してもよく、後フィルタガード８０ｂを後湾曲部６６に固定してもよい。
【産業上の利用可能性】
【００７６】
本発明は、空調室内機に利用可能である。
【符号の説明】
【００７７】
３            室内機
３１          室内熱交換器
３３          フィルタ機構
５０          フィルタユニット
５１          清掃ユニット
５２          支持フレーム
５２ａ        第１係合部
５２ｂ        第２係合部
６０          フィルタガイド
６１          連結部材
６２          第１ローラ
６３          第２ローラ
７０          エアフィルタ
７０ａ        上側フィルタ
７０ｂ        下側フィルタ
８０          フィルタガード
８１          ロッド
８２          引掛部
８２０        ベース部
８２１        上延部
８２２        差込部
８２３        段差部
ＩＳ          挿入孔
【先行技術文献】
【特許文献】
【００７８】
【特許文献１】特開２０１２−５２７６５号公報
【図１】
2014070825.tif 000003
【図２】
2014070825.tif 000004
【図３】
2014070825.tif 000005
【図４】
2014070825.tif 000006
【図５】
2014070825.tif 000007
【図６】
2014070825.tif 000008
【図７】
2014070825.tif 000009
【図８Ａ】
2014070825.tif 000010
【図８Ｂ】
2014070825.tif 000011
【図８Ｃ】
2014070825.tif 000012
【図８Ｄ】
2014070825.tif 000013
【図９】
2014070825.tif 000014
【図１０】
2014070825.tif 000015
【図１１】
2014070825.tif 000016